(57)【特許請求の範囲】
【請求項１】
オープンシールド機の内部空間において１単位の開渠部材を連結する連結ステップと該連結ステップにおいて該連結された１単位の該開渠部材の長さに応じて該オープンシールド機を前進させる前進ステップとを含んでなるサイクルと、１又は２以上の該サイクルが完了した後に該前進ステップにおいて前進した該オープンシールド機の後方に位置する該開渠部材を埋め戻す埋め戻しステップと、を繰り返すことにより、複数単位の開渠部材を連結しつつ埋設するオープンシールド工法であって、
該埋め戻しステップにおいて埋め戻される開渠部材のうち少なくともいずれかの該開渠部材の側壁に、該側壁が該開渠部材の内側方向に少なくとも所定量以上変位することを制限する変位制限手段を取り付けることを特徴とする、オープンシールド工法。
【請求項２】
前記埋め戻しステップによって埋め戻された埋め戻し材を押し固める押し固めステップを、さらに備え、
該押し固めステップによって生じる圧力を受ける開渠部材に少なくとも前記変位制限手段が取り付けられるものである、請求項１に記載のオープンシールド工法。
【請求項３】
前記オープンシールド機が、前記埋め戻された埋め戻し材の前端を後方に向けて押し固めるように前記押し固めステップを行い、前記押し固めステップによって生じる前方への反力によって前記前進ステップが達成されるものであり、
前記前端が接する１単位の開渠部材に少なくとも前記変位制限手段が取り付けられるものである、請求項２に記載のオープンシールド工法。
【請求項４】
前記前端が接する１単位の開渠部材よりも前方に開渠部材が配置されると共に、前記変位制限手段が前記開渠部材に着脱自在なものであり、
１の前記サイクルに対して前記埋め戻しステップ及び前記押し固めステップがそれぞれ行われ、
前記サイクルと前記埋め戻しステップとが完了したとき、前記前端が接する１単位の開渠部材と、前記前端が接する１単位の開渠部材よりも前方の開渠部材と、に前記変位制限手段が取り付けられており、その後、該サイクル又はそれに続く１又は２以上のサイクルが完了し、次の前記押し固めステップが行われる前までに、前記前端が接する１単位の開渠部材又はそれよりも後方に存する開渠部材から前記変位制限手段を取り外し、該取り外した前記変位制限手段を前記前端が接する１単位の開渠部材よりも前方の開渠部材に取りつけるものである、請求項３に記載のオープンシールド工法。
【発明の詳細な説明】
【０００１】
【発明の属する技術分野】
本発明は、オープンシールド機を用いてＵ字型開水路ブロック（長手方向に対して垂直な断面において、底面の両端から上方に向けて立ち上がる互いに対峙する一対の側面を有するカタカナの「コ」の字を９０度回転させたような形状やアルファベットの「Ｕ」の字のような形状を有するもの）やＬ字型組立開水路ブロック（長手方向に対して垂直な断面において、底面の一端から上方に向けて立ち上がる側面を有するものでアルファベットの「Ｌ」の字のような形状を有するものであり、これを水路両側に一対配置する。）等の開渠部材を土中に埋設するオープンシールド工法に関し、より詳細には、オープンシールド機の内部空間において１単位の開渠部材を連結する連結ステップと該連結ステップにおいて該連結された１単位の該開渠部材の長さに応じて該オープンシールド機を前進させる前進ステップとを含んでなるサイクルと、１又は２以上の該サイクルが完了した後に該前進ステップにおいて前進した該オープンシールド機の後方に位置する該開渠部材を埋め戻す埋め戻しステップと、を繰り返すことにより、複数単位の開渠部材を連結しつつ埋設するオープンシールド工法に関する。
【０００２】
【従来の技術】
上下水道管やボックスカルバート等の地中構造物を埋設するために、従来から、オープンシールド機を用いたオープンシールド工法が多用されてきた。オープンシールド工法は、牽引式又は自走式のオープンシールド機を土中に埋入させ、該オープンシールド機の内部空間において地中構造物を連結することと掘削機により土砂を前方向に向けて掘削し該オープンシールド機を前進させることとを順次行いつつ、該オープンシールド機の後方に位置する地中構造物を埋め戻す（土砂やモルタル等が用いられることが多い。）ことを行うことで、地中構造物を連続的に埋設することができるものである。かかるオープンシールド工法やオープンシールド機等については、既に多くの出願がなされており詳しい説明は省略するが、例えば、昭和６２年特許出願公開第１３３２９４号や平成３年特許出願公開第１６９９１４号等には詳しい説明がなされている。
【０００３】
【発明が解決しようとする課題】
しかしながら、上記したようなオープンシールド工法においては、オープンシールド機の後方に位置する地中構造物を埋め戻す際、埋め戻された該地中構造物に埋め戻された土砂やモルタル等の圧力が加わり該地中構造物を変形させたりひどい場合には破壊の可能性も生じる場合がある。
かかる埋め戻された土砂等による該地中構造物に加わる圧力は、とりわけ埋め戻す際に予想外の大きさになることがあり（例えば、土砂等を勢い良く該地中構造物に向けて投入したような場合）、埋め戻し時の該地中構造物の変形や破壊の可能性が大きな問題となっていた。
さらに、埋め戻し時の地中構造物の変形や破壊の可能性は、上述したＵ字型開水路ブロックや一対が組み立てられたＬ字型組立開水路ブロック等のような開渠部材（埋設された際に鉛直平面による断面において、上方に向けた開口を有するもの）であれば、該鉛直平面による断面において閉じた構造を有する部材よりも外部応力に対する強度が小さいので、一層深刻な問題となる。
【０００４】
そこで、本発明では、上述したＵ字型開水路ブロックや一対が組み立てられたＬ字型組立開水路ブロック等のような開渠部材をオープンシールド工法によって土中に埋設する際、埋め戻し時の該開渠部材の変形や破壊を回避できるオープンシールド工法を提供することを目的とする。
【０００５】
【課題を解決するための手段】
本発明のオープンシールド工法（以下、「本工法」という。）は、オープンシールド機の内部空間において１単位の開渠部材を連結する連結ステップと該連結ステップにおいて該連結された１単位の該開渠部材の長さに応じて該オープンシールド機を前進させる前進ステップとを含んでなるサイクルと、１又は２以上の該サイクルが完了した後に該前進ステップにおいて前進した該オープンシールド機の後方に位置する該開渠部材を埋め戻す埋め戻しステップと、を繰り返すことにより、複数単位の開渠部材を連結しつつ埋設するオープンシールド工法であって、該埋め戻しステップにおいて埋め戻される開渠部材のうち少なくともいずれかの該開渠部材の側壁に、該側壁が該開渠部材の内側方向に少なくとも所定量以上変位することを制限する変位制限手段を取り付けることを特徴とする、オープンシールド工法である。
【０００６】
本工法は、オープンシールド機の内部空間において１単位の開渠部材を連結する連結ステップと該連結ステップにおいて該連結された１単位の該開渠部材の長さに応じて該オープンシールド機を前進させる前進ステップとを含んでなるサイクルと、１又は２以上の該サイクルが完了した後に該前進ステップにおいて前進した該オープンシールド機の後方に位置する該開渠部材を埋め戻す埋め戻しステップと、を繰り返すことにより、複数単位の開渠部材を連結しつつ埋設するオープンシールド工法である。
即ち、１サイクルには、オープンシールド機の内部空間において１単位の開渠部材を連結する連結ステップと該連結ステップにおいて該連結された１単位の該開渠部材の長さに応じて該オープンシールド機を前進させる前進ステップとを含むので、１サイクルを完了する毎に開渠部材が１単位ずつ連結され、それにつれてオープンシールド機も前進してゆく。従って、該サイクルを繰り返すことで、複数単位の開渠部材が連続的に連結された状態で土中に布設される。
そして、１又は２以上の該サイクルが完了した後に該前進ステップにおいて前進した該オープンシールド機の後方に位置する該開渠部材を埋め戻す埋め戻しステップを行うことで、該サイクルによって土中に布設された開渠部材を埋め戻すことができる。
以上のように、該サイクルと、１又は２以上の該サイクルが完了した後の埋め戻しステップと、を繰り返すことにより、複数単位の開渠部材が連続的に連結された状態で土中に布設され、該布設された開渠部材を埋め戻すことができるので、複数単位の開渠部材を連結しつつ埋設することができる。なお、ここで「１又は２以上の該サイクルが完了した後の埋め戻しステップ」とあるように、１の該サイクルが完了した後に埋め戻しステップを行うようにしても（１の連結ステップと１の前進ステップとが行われた後、１の埋め戻しステップが行われる。）、２以上（複数）の該サイクルが完了した後に埋め戻しステップを行うようにしてもよい（複数の連結ステップと該複数の前進ステップとが行われた後、１の埋め戻しステップが行われる。）。
【０００７】
さらに、本工法は、埋め戻しステップにおいて埋め戻される開渠部材のうち少なくともいずれかの開渠部材の側壁に、該側壁が開渠部材の内側方向に少なくとも所定量以上変位することを制限する変位制限手段を取り付ける。
即ち、埋め戻しステップにおいて埋め戻される開渠部材のうち少なくともいずれかの開渠部材の側壁に、該側壁が開渠部材の内側方向に少なくとも所定量以上変位することを制限する変位制限手段を取り付けるので、該取り付けられた変位制限手段によって、埋め戻しステップにおいて埋め戻される開渠部材の側壁が、その内側方向に少なくとも所定量以上変位することを制限される。このためＵ字型開水路ブロックや一対が組み立てられたＬ字型組立開水路ブロック等のような前記開渠部材をオープンシールド工法によって土中に埋設する際、埋め戻し時の前記開渠部材に埋め戻された土砂やモルタル等の圧力が加わり該開渠部材の側壁（埋め戻された土砂やモルタル等は該側壁に開渠部材の内側方向に向いた力を加える。）が該開渠部材の内側方向に所定量以上変位することを、変位制限手段が制限するので、埋め戻し時の開渠部材が所定量以上変形したり破壊することを防止することができる。
【０００８】
なお、埋め戻しステップにおいて埋め戻すもの（埋め戻し材）としては、開渠部材を埋め戻すことができるものであればいかなるものであってもよく特に制限されないが、例えば、土砂、岩石、コンクリート、モルタル等を例示することができる。また、「側壁」とは、開渠部材が連結される方向に対して垂直な断面において底部から上方に向けて立ち上がっている部分をいう。
そして、「変位制限手段」とは、側壁が開渠部材の内側方向に少なくとも所定量以上変位することを制限することができるものであればいかなるものであってもよく特に制限されないが、例えば、側壁が開渠部材の内側方向に変位していない際にも内側方向から側壁に当接しているようなものや、側壁が開渠部材の内側方向に変位していない際には内側方向から側壁に当接していないが側壁が開渠部材の内側方向にある程度変位すると内側方向から側壁に当接するようになるもの等を例示することができる。
また、本明細書において、「前」とはオープンシールド機が進む方向をいい、「後」とは「前」の反対方向をいう。
【０００９】
前記埋め戻しステップによって埋め戻された埋め戻し材を押し固める押し固めステップを、さらに備え、該押し固めステップによって生じる圧力を受ける開渠部材に少なくとも前記変位制限手段が取り付けられるものであってもよい。
前記埋め戻しステップによって埋め戻された埋め戻し材は、そのままでは軟弱であり開渠部材の位置を固定することや該埋め戻し材の上面に重量物を載置することがうまく行えない場合があるので、押し固められること（押し固めステップ）が好ましい。しかしながら押し固めステップにおいて埋め戻し材を押し固めると、それに伴い開渠部材の側面を開渠部材の内側方向に変位させる圧力（即ち、側面を外側から内側に向かって押す圧力）が該側面に加わる。
このことから押し固めステップを行う場合であれば、それを行わない場合に比して、開渠部材の側面を開渠部材の内側方向に変位させる力が増大するので（開渠部材の変形や破壊が生じやすい。）、押し固めステップによって生じる圧力を受ける開渠部材に少なくとも前記変位制限手段が取り付けられることが好ましい。
【００１０】
前記オープンシールド機が、前記埋め戻された埋め戻し材の前端を後方に向けて押し固めるように前記押し固めステップを行い、前記押し固めステップによって生じる前方への反力によって前記前進ステップが達成されるものであり、前記前端が接する１単位の開渠部材に少なくとも前記変位制限手段が取り付けられるものであってもよい。
オープンシールド機が、埋め戻された埋め戻し材の前端を後方に向けて押し固めるように押し固めステップを行い、その押し固めステップによって生じる前方への反力によって前記前進ステップが達成されるようにするには、オープンシールド機の後方に位置する埋め戻し材の前端を後方に向けて押し固めるような（即ち、埋め戻し材の前端を後方に向けて押しつける。）構成をオープンシールド機が有するようにすればよく、かかる構成をもって押し固めステップと前進ステップとを行うことができ便利である（なお、かかるオープンシールド機は公知であり、例えば、平成５年実用新案出願公告第２１５３８号に記載されている。）。
そして、このようなオープンシールド機を用いれば、埋め戻された埋め戻し材の前記前端に最も大きな押し固め力がはたらき、それに伴って、前記前端付近の開渠部材に側面を開渠部材の内側方向に変位させる最も大きな力が作用するので（開渠部材の変形や破壊が生じやすい。）、前記前端が接する１単位の開渠部材に少なくとも前記変位制限手段が取り付けられることが好ましい。
【００１１】
前記オープンシールド機が、前記埋め戻された埋め戻し材の前端を後方に向けて押し固めるように前記押し固めステップを行い、前記押し固めステップによって生じる前方への反力によって前記前進ステップが達成されるものであり、前記前端が接する１単位の開渠部材に少なくとも前記変位制限手段が取り付けられるものである場合、前記前端が接する１単位の開渠部材よりも前方に開渠部材が配置されると共に、前記変位制限手段が前記開渠部材に着脱自在なものであり、１の前記サイクルに対して前記埋め戻しステップ及び前記押し固めステップがそれぞれ行われ、前記サイクルと前記埋め戻しステップとが完了したとき、前記前端が接する１単位の開渠部材と、前記前端が接する１単位の開渠部材よりも前方の開渠部材と、に前記変位制限手段が取り付けられており、その後、該サイクル又はそれに続く１又は２以上のサイクルが完了し、次の前記押し固めステップが行われる前までに、前記前端が接する１単位の開渠部材又はそれよりも後方に存する開渠部材から前記変位制限手段を取り外し、該取り外した前記変位制限手段を前記前端が接する１単位の開渠部材よりも前方の開渠部材に取りつけるものであってもよい。
まず、あるサイクルとそのサイクル直後（次のサイクルに入る前）に前記埋め戻しステップとが完了したとき、前記前端が接する１単位の開渠部材と、前記前端が接する１単位の開渠部材よりも前方の開渠部材と、に前記変位制限手段が取り付けられている。その後、該あるサイクル又はそれに続く１又は２以上のサイクルが完了（即ち、該あるサイクルが完了したとき、該あるサイクルに続く次のサイクルが完了したとき、又は該あるサイクルに続く２以上のサイクルが完了したとき、が含まれる。）し、次の前記押し固めステップが行われる前までに、前記前端が接する１単位の開渠部材又はそれよりも後方に存する開渠部材から前記変位制限手段を取り外し、該取り外した前記変位制限手段を前記前端が接する１単位の開渠部材よりも前方の開渠部材に取りつけるので、最低２個の前記変位制限手段があれば作業を円滑に進行することができる（前記変位制限手段を打って替えしに（交互に入れ替えつつ）用いることで、前記前端が接する１単位の開渠部材又はそれよりも後方に存する開渠部材から前記変位制限手段を取り外し、該取り外した前記変位制限手段を前記前端が接する１単位の開渠部材よりも前方の開渠部材に取りつける作業を、押し固めステップや埋め戻しステップを行っている間に同時に行うことができ、該作業の時間によって本工法の進行を遅らせることがないか、又はあってもそれを小さくすることができる。）。
【００１２】
【発明の実施の形態】
以下、本発明の実施の形態を図面を参照して説明する。しかしながら、これらによって本発明は何ら制限されるものではない。
【００１３】
ここでは本工法を用いた、前記したＬ字型組立開水路ブロック（長手方向に対して垂直な断面において、底面の一端から上方に向けて立ち上がる側壁を有するものでアルファベットの「Ｌ」の字のような形状を有するものであり、これを水路両側に一対配置して開水路を形成するもの）を埋設する工法を例にとって説明する。
図１は、本工法の第１工程を示す断面図（オープンシールド機を構成するの幅方向の略中心を通る鉛直面にて切断したもの）であり、図２は本工法の第１工程を示す平面図（図１中、矢印Ａ方向から見たところを示している。なお、図１に示されたバックホー１０１については図示していない。）である。また、両図とも図示及び理解を容易にするため、本発明と直接関係ない部分や既知の部分については図示を省略したり簡略化している。本工法の第１工程は、図１及び図２に示すように、オープンシールド機１１を地中に埋設するための埋設穴をバックホー１０１によって掘設し、該埋設穴にオープンシールド機１１を降下させ該埋設穴の内部にオープンシールド機１１を配置する。なお、ここでは図示していないが、オープンシールド機１１は、昭和６２年特許出願公開第１３３２９４号に示すのと同様の装置が付設されており、該装置によってオープンシールド機１１は該埋設穴に自降すると共に該埋設穴から自昇することができるようになっている。
【００１４】
また、ここではオープンシールド機１１は、本出願人が以前出願した平成５年実用新案出願公告第２１５３８号の実施例に記載されているオープンシールド機と同様のものを用いている。具体的には、フロントフレーム１とテールフレーム２とが前後方向（図１及び図２中、前方向を矢印Ｆにて、後方向を矢印Ｂにて、それぞれ示す。）に互いにスライド自在に取り付けられると共に、フロントフレーム１とテールフレーム２との間に推進ジャッキ３が取り付けられている（特に、図２を参照されたい。）。このため推進ジャッキ３をのばすとフロントフレーム１とテールフレーム２との間がのびるので、オープンシールド機１１の後方に土砂（例えば、埋め戻されたもの）が存すれば、該土砂の前端を後方に向けて押し固めると共にその押し固めによって生じる前方への反力によってフロントフレーム１が前進し、次いで、推進ジャッキ３を縮めるとテールフレーム２が前方へ移動し、その後、オープンシールド機１１の後方に土砂を埋め戻し、再び、推進ジャッキ３をのばすと、土砂の前端を後方に向けて押し固めると共にその押し固めによって生じる前方への反力によってフロントフレーム１が再び前進する。このように推進ジャッキ３をのばす（後方の土砂の押し固めと、フロントフレーム１が前進）、推進ジャッキ３を縮める（テールフレーム２が前進）、後方に土砂を埋め戻す、という工程を繰り返すことによって、オープンシールド機１１の後方の土砂を押し固めつつオープンシールド機１１を前進させることができる。
もっとも、本工法に用いるオープンシールド機は、いかなるものが用いられてもよく前述したオープンシールド機１１等と同様なものに限定されるものではなく、例えば、平成３年特許出願公開第１６９９１４号の実施例に記載されたいくつかの種類のいずれかであってもよい。
【００１５】
図１及び図２に示す状態において、本工法の第２工程として、オープンシールド機１１の内部空間１３に位置する土床面をならし（床均）、次いで基礎部分を形成する。
図３は、図２のＣ−Ｃ端面図であり、該基礎部分の構造を説明するための図である。図３を参照して、基礎部分について説明する。前述したように、オープンシールド機１１の内部空間１３に位置しならされた（床均された）土床面１１１に砕石１１３を敷設し、さらに砕石１１３の上面に埋設するように所定位置にＰＣ板１１５（なお、「ＰＣ板」とは、プレキャストコンクリート板を意味する）を配設する。このようにして図３に示すような基礎部分が形成される。
なお、ＰＣ板１１５は、その上面に後述のＬ字型組立開水路ブロック２１、２３が載置されるので、Ｌ字型組立開水路ブロック２１、２３の所望配置位置に応じた位置に埋設される。
【００１６】
そして、図３に示すように砕石１１３及びＰＣ板１１５を配設した後、本工法の第３工程としてＬ字型組立開水路ブロックを一対配設する。
図４は、Ｌ字型組立開水路ブロック２１、２３を、砕石１１３及びＰＣ板１１５の上面に配置したところを示す端面図（図３と同じ端面を示している。）であり、図５は、図４と同様にＬ字型組立開水路ブロック２１、２３を砕石１１３及びＰＣ板１１５の上面に配置したところを示す平面図（図４中、矢印Ｇ方向から見たところを示している。）である。図４及び図５を参照して、本工法の第３工程について説明する。第２工程においてオープンシールド機１１の内部空間１３の所定位置（後述のように、Ｌ字型組立開水路ブロック２１、２３によって形成される開渠が前後方向（図５中、前方向は矢印Ｆ方向、後方向は矢印Ｂ方向）に沿うように配置される。）にＬ字型組立開水路ブロック２１、２３を左右（オープンシールド機１１の後方に向いたときの左右をいい、具体的には、図４及び図５においては左方向は矢印Ｊ２方向をいい、右方向は矢印Ｊ１方向をいう。）両側に一対配設する。
また、図５中、コンクリート板によって構成された閉塞板７１が、Ｌ字型組立開水路ブロック２１、２３の後端面の全面にわたって取り付けられているが、これはＬ字型組立開水路ブロック２１、２３の間の空間にＬ字型組立開水路ブロック２１、２３の後端側から土砂が進入することを防止するためのものである。そして、ここでは図示していないが、閉塞板７１とＬ字型組立開水路ブロック２１、２３の後端面とのうち一方には他方に向けて突出するように形成された嵌入突起が形成されると共に、該他方には該嵌入突起が丁度嵌入されるように嵌入凹部が形成されており、該嵌入突起を該嵌入凹部に嵌入した状態で閉塞板７１がＬ字型組立開水路ブロック２１、２３の後端面に取り付けられている（なお、閉塞板７１とＬ字型組立開水路ブロック２１、２３とは、図示しないボルト及びナットによって連結されている）。これら該嵌入突起と該嵌入凹部との嵌入によって、Ｌ字型組立開水路ブロック２１、２３の後端部分に後述の盛り替え梁４１ａ、４１ｂを配設しなくてもＬ字型組立開水路ブロック２１、２３の後端部分が内側方向に移動することを制限することができる。
【００１７】
次いで、図６に示すように本工法の第４工程として、第３工程にて一対配設されたＬ字型組立開水路ブロック２１、２３の側壁の間に跨るように支保鋼材ブロック３１を配置する。図７は図６のＫ−Ｋ断面図であり、図８は図７のＬ−Ｌ断面図である。
図６乃至図８に示すように、支保鋼材ブロック３１は、長手方向が左右方向（左方向は矢印Ｊ２方向、右方向は矢印Ｊ１方向）に向くように配設され前後一対配設された下部横部材３３ａ、３３ｂと、下部横部材３３ａ、３３ｂの真上（下部横部材３３ａ、３３ｂの軸が属する鉛直平面に軸が属することをいう。）でかつ長手方向が左右方向に向くように一対配設された中部横部材３５ａ、３５ｂと、中部横部材３５ａ、３５ｂの真上でかつ長手方向が左右方向に向くように一対配設された上部横部材３７ａ、３７ｂと、下部横部材３３ａ、３３ｂと中部横部材３５ａ、３５ｂとを上下方向に連結する左右方向３本かつ前後方向一対（計６本）配設された下部支持柱３２ａ、３２ｂ、３２ｃ、３２ｄ（計６本存するが、そのうち図示されているのは４本である。）と、中部横部材３５ａ、３５ｂと上部横部材３７ａ、３７ｂとを上下方向に連結する左右方向３本かつ前後方向一対（計６本）配設された上部支持柱３４ａ、３４ｂ、３４ｃ、３４ｄ（計６本存するが、そのうち図示されているのは４本である。）と、上部横部材３７ａ、３７ｂ同士を前後方向に連結する左右方向に３本配設された上部前後連結部材３６ａ、３６ｂ、３６ｃと、中部横部材３５ａ、３５ｂ同士を前後方向に連結する左右方向に３本配設された中部前後連結部材（図示されていない）と、下部横部材３３ａ、３３ｂ同士を前後方向に連結する左右方向に３本配設された下部前後連結部材（図示されていない）と、前後方向に長手方向が向くように下部横部材３３ａ、３３ｂの下面に左右一対取り付けられた脚部３８ａ、３８ｂと、長手方向が前後方向に向くように下部横部材３３ａ、３３ｂの左側端部同士を連結する左下当接部材３９ａと、長手方向が前後方向に向くように下部横部材３３ａ、３３ｂの右側端部同士を連結する右下当接部材３９ｂと、長手方向が前後方向に向くように中部横部材３５ａ、３５ｂの左側端部同士を連結する左中当接部材３９ｃと、長手方向が前後方向に向くように中部横部材３５ａ、３５ｂの右側端部同士を連結する右中当接部材３９ｄと、長手方向が前後方向に向くように上部横部材３７ａ、３７ｂの左側端部同士を連結する左上当接部材３９ｅと、長手方向が前後方向に向くように上部横部材３７ａ、３７ｂの右側端部同士を連結する右上当接部材３９ｆと、上部横部材３７ａと中部横部材３５ａとを連結するブレス材４０ａ、４０ｂと、中部横部材３５ａと下部横部材３３ａを連結するブレス材４０ｃ、４０ｄと、上部横部材３７ｂと中部横部材３５ｂとを連結するブレス材（図示されていない）と、中部横部材３５ｂと下部横部材３３ｂを連結するブレス材（図示されていない）と、を有して構成されている。なお、図示及び理解を容易にするために、図８には、ブレス材４０ａ、４０ｃと、上部前後連結部材３６ａ、３６ｂと、中部前後連結部材（図示されていない）と、下部前後連結部材（図示されていない）と、は図示していない。
【００１８】
以上のような支保鋼材ブロック３１は、具体的には、Ｈ形鋼を組み合わせて構成されており、全体の形状としては、一対の平行な平面の一方に左下当接部材３９ａの左端と左中当接部材３９ｃの左端と左上当接部材３９ｅの左端とが前後方向にわたって略接し、該一対の平行な平面の他方に右下当接部材３９ｂの右端と右中当接部材３９ｄの右端と右上当接部材３９ｆの右端とが前後方向にわたって略接し、かつ該一方と該他方との両方に垂直な平面に脚部３８ａ、３８ｂが前後方向にわたって略接するような形状（即ち、直方体の一面と該一面に垂直な互いに平行な両面との３面に前後方向にわたって略接するようにされている。）にされている。
このような支保鋼材ブロック３１は、Ｌ字型組立開水路ブロック２１、２３の底部２１ａ、２３ａの上面に脚部３８ａ、３８ｂを前後方向にわたって略接するように載置すると、Ｌ字型組立開水路ブロック２１の側壁２１ｂ（の内面）に左下当接部材３９ａの左端と左中当接部材３９ｃの左端と左上当接部材３９ｅの左端とが前後方向にわたって略接すると共に、Ｌ字型組立開水路ブロック２３の側壁２３ｂ（の内面）に右下当接部材３９ｂの右端と右中当接部材３９ｄの右端と右上当接部材３９ｆの右端とが前後方向にわたって略接する。このようにＬ字型組立開水路ブロック２１の側壁２１ｂ（の内面）に左下当接部材３９ａの左端と左中当接部材３９ｃの左端と左上当接部材３９ｅの左端とが前後方向にわたって略接し、かつＬ字型組立開水路ブロック２３の側壁２３ｂ（の内面）に右下当接部材３９ｂの右端と右中当接部材３９ｄの右端と右上当接部材３９ｆの右端とが前後方向にわたって略接する状態では、Ｌ字型組立開水路ブロック２１の側壁２１ｂとＬ字型組立開水路ブロック２３の側壁２３ｂとのいずれも内側方向に移動することが制限される。
【００１９】
そして、図９に示すように本工法の第５工程として、オープンシールド機１１の前方の土砂をバックホーにて掘削（土砂の掘削は図示せず）後、オープンシールド機１１の推進ジャッキ３をのばす。この推進ジャッキ３の伸張により、フロントフレーム１とテールフレーム２との間がのびてオープンシールド機１１の後方の土砂１３１の前端を後方に向けて押し固めると共にその押し固めによって生じる前方への反力によってフロントフレーム１が前進する（図９の状態）。
その後、推進ジャッキ３を収縮させ、テールフレーム２を前方方向に移動させる（フロントフレーム１は移動しない。）。
以上の推進ジャッキ３の伸張と収縮とによって、オープンシールド機１１が前進する。
【００２０】
さらに、図１０に示すように本工法の第６工程として、前記した第５工程において前進したオープンシールド機１１の後方に位置するＬ字型組立開水路ブロック２１、２３を埋め戻し用土砂１４１によって埋め戻す。なお、このとき前記した平成５年実用新案出願公告第２１５３８号の実施例に記載しているように、可撓性板４が、テールフレーム２とＬ字型組立開水路ブロック２１、２３との間に生じるクリアランスを閉塞するので埋め戻し用土砂１４１がテールフレーム２内に崩れこまない。
そして、ここではＬ字型組立開水路ブロック２１、２３の埋め戻し用土砂１４１による埋め戻しと並行して、既に説明した第２工程たるオープンシールド機１１の内部空間１３に位置する土床面ならし（床均）及び基礎部分形成（砕石１１３及びＰＣ板１１５）を行い、そしてさらに前述の第３工程と同様に一対のＬ字型組立開水路ブロック２１、２３（無論、第３工程で用いたＬ字型組立開水路ブロック２１、２３と同様のものを用いる。）の配設を行う。なお、このとき一対のＬ字型組立開水路ブロック２１、２３を配設する際、オープンシールド機１１の内部空間１３において既に配設されているＬ字型組立開水路ブロック２１、２３と今回配設するＬ字型組立開水路ブロック２１、２３とを連結する（連結ステップ）。
【００２１】
その後、図１１に示すように本工法の第７工程として、第６工程にて一対配設されたＬ字型組立開水路ブロック２１、２３の側壁の間に跨るように支保鋼材ブロック３１を配置する（前記した第４工程と同様）。なお、ここで用いる支保鋼材ブロック３１は、既に説明した第４工程で用いた支保鋼材ブロック３１と同様のものである。
このようにＬ字型組立開水路ブロック２１、２３の側壁の間に跨るように支保鋼材ブロック３１を配置することで、前述した第４工程と同様、Ｌ字型組立開水路ブロック２１の側壁２１ｂとＬ字型組立開水路ブロック２３の側壁２３ｂとのいずれも内側方向に移動することが制限される。
【００２２】
そして、図１２に示すように本工法の第８工程として、オープンシールド機１１の前方の土砂をバックホーにて掘削（土砂の掘削は図示せず）後、オープンシールド機１１の推進ジャッキ３をのばす。この推進ジャッキ３の伸張により、フロントフレーム１とテールフレーム２との間がのびてオープンシールド機１１の後方に存する埋め戻し用土砂１４１の前端を後方（図１２中、矢印Ｂ方向）に向けて押し固めると共にその押し固めによって生じる前方への反力によってフロントフレーム１が前進する（図１２の状態）。
その後、推進ジャッキ３を収縮させ、テールフレーム２を前方方向に移動させる（フロントフレーム１は移動しない。）。
以上の推進ジャッキ３の伸張と収縮とによって、オープンシールド機１１が前進する。即ち、このオープンシールド機１１の前方の土砂をバックホーにて掘削することと推進ジャッキ３の伸張及び収縮とによって、連結ステップにおいて連結されたＬ字型組立開水路ブロック２１、２３の長さに応じてオープンシールド機１１を前進させる前進ステップが達成される。
【００２３】
さらに、図１３に示すように本工法の第９工程として、前記した第８工程において前進したオープンシールド機１１の後方に位置するＬ字型組立開水路ブロック２１、２３を埋め戻し用土砂１４１によって埋め戻す。この埋め戻しが、前進ステップにおいて前進したオープンシールド機１１の後方に位置する開渠部材たるＬ字型組立開水路ブロック２１、２３を埋め戻す埋め戻しステップを構成する。そしてこのとき、埋め戻しステップにおいて埋め戻される開渠部材たるＬ字型組立開水路ブロック２１、２３のうち両方の開渠部材たるＬ字型組立開水路ブロック２１、２３の側壁２１ｂ、２３ｂに、該側壁２１ｂ、２３ｂが開渠部材たるＬ字型組立開水路ブロック２１、２３の内側方向に少なくとも所定量以上変位することを制限する変位制限手段たる支保鋼材ブロック３１が取り付けられている。もちろんこのときも前述した通り、可撓性板４が、テールフレーム２とＬ字型組立開水路ブロック２１、２３との間に生じるクリアランスを閉塞するので埋め戻し用土砂１４１がテールフレーム２内に崩れこまない。
そして、上記したＬ字型組立開水路ブロック２１、２３の埋め戻し用土砂１４１による埋め戻しと並行して、オープンシールド機１１の内部空間１３に位置する土床面ならし（床均）及び基礎部分形成（砕石１１３及びＰＣ板１１５）を行い、そしてさらに一対のＬ字型組立開水路ブロック２１、２３の配設を行う。なお、このとき一対のＬ字型組立開水路ブロック２１、２３を配設する際、オープンシールド機１１の内部空間１３において既に配設されているＬ字型組立開水路ブロック２１、２３と今回配設するＬ字型組立開水路ブロック２１、２３とを連結する（連結ステップ）。
【００２４】
その後、図１４に示すように本工法の第１０工程として、Ｌ字型組立開水路ブロック２１、２３に配設されている支保鋼材ブロック３１のうち最も後側（図１４中、矢印Ｂ方向寄り）に位置する支保鋼材ブロック３１ｆが配設されているＬ字型組立開水路ブロック２１ｆ、２３ｆの前側ジョイント部分（Ｌ字型組立開水路ブロック２１ｆ、２３ｆとそれらよりも１つ前側に存するＬ字型組立開水路ブロック２１ｈ、２３ｈとの接合部分）に盛り替え梁４１ａ、４１ｂを上下二段取り付ける。図１５は図１４のＭ−Ｍ断面図である。図１５を参照して、盛り替え梁４１ａ、４１ｂについて説明する（なお、Ｍ−Ｍ断面は、Ｌ字型組立開水路ブロック２１ｆ、２３ｆとＬ字型組立開水路ブロック２１ｈ、２３ｈとの接合面と一致するので、Ｌ字型組立開水路ブロック２１ｆ、２３ｆは断面になっていない。）。盛り替え梁４１ａ、４１ｂのいずれも、全体的にはＨ形鋼を用いた棒状部材であり、盛り替え梁４１ａが上端近傍に設置されると共に、盛り替え梁４１ｂは底面近傍に設置されている。
【００２５】
盛り替え梁４１ａは、棒状本体部４１ａａと、棒状本体部４１ａａの両端に形成されＬ字型組立開水路ブロック２１、２３の側壁２１ｂ、２３ｂの上面に係合する係合支持部４１ａｂ（係合支持部４１ａｂが側壁２１ｂ、２３ｂの上面に係合することによって、盛り替え梁４１ａが支持される。）と、を有してなり、一端側はＬ字型組立開水路ブロック２１ｆとＬ字型組立開水路ブロック２１ｈとに跨るように係合すると共に、他端側はＬ字型組立開水路ブロック２３ｆとＬ字型組立開水路ブロック２３ｈとに跨るように係合する。このように盛り替え梁４１ａは、支保鋼材ブロック３１と同様、Ｌ字型組立開水路ブロック２１ｆ、２１ｈの側壁２１ｂとＬ字型組立開水路ブロック２３ｆ、２３ｈの側壁２３ｂとのいずれも内側方向に移動することを制限する。
【００２６】
盛り替え梁４１ｂは、棒状本体部４１ｂａと、棒状本体部４１ｂａの下面左右両側に取り付けられＬ字型組立開水路ブロック２１、２３の底部２１ａ、２３ａの上面に載置される係合脚部４１ｂｂ（係合脚部４１ｂｂが底部２１ａ、２３ａの上面に載置されることによって、盛り替え梁４１ｂが支持される。）と、を有してなる。そして、棒状本体部４１ｂａの一端側はＬ字型組立開水路ブロック２１ｆとＬ字型組立開水路ブロック２１ｈとに跨るように係合すると共に、棒状本体部４１ｂａの他端側はＬ字型組立開水路ブロック２３ｆとＬ字型組立開水路ブロック２３ｈとに跨るように係合する。このようにして盛り替え梁４１ｂは、支保鋼材ブロック３１と同様、Ｌ字型組立開水路ブロック２１ｆ、２１ｈの側壁２１ｂとＬ字型組立開水路ブロック２３ｆ、２３ｈの側壁２３ｂとのいずれも内側方向に移動することを制限する。
【００２７】
さらに、図１６に示すように本工法の第１１工程として、Ｌ字型組立開水路ブロック２１、２３に配設されている支保鋼材ブロック３１のうち最も後側（前側ジョイント部分に盛り替え梁４１ａ、４１ｂが取り付けられたもの）に位置する支保鋼材ブロック３１ｆをＬ字型組立開水路ブロック２１ｆ、２３ｆから取り外し、該取り外した支保鋼材ブロック３１を最も前端（図１６中、矢印Ｆ方向）に取り付ける。
なお、このとき支保鋼材ブロック３１ｆをＬ字型組立開水路ブロック２１ｆ、２３ｆから取り外しても、前記第１０工程にて取り付けた盛り替え梁４１ａ、４１ｂによってＬ字型組立開水路ブロック２１の側壁２１ｂとＬ字型組立開水路ブロック２３の側壁２３ｂとのいずれも内側方向に移動することが制限される。
また、ここでＬ字型組立開水路ブロック２１の側壁２１ｂとＬ字型組立開水路ブロック２３の側壁２３ｂとを内側方向に移動させる力は、前述した推進ジャッキ３を伸張させオープンシールド機１１の後方に存する埋め戻し用土砂１４１の前端を後方に向けて押し固めると共にその押し固めによって生じる前方への反力によってフロントフレーム１を前進させる際に埋め戻し用土砂１４１の前端（即ち、ここでは可撓性板４に面する部分）が接するＬ字型組立開水路ブロック２１、２３に加わるものが最大となるので、該前端が接するＬ字型組立開水路ブロック２１、２３には高剛性の支保鋼材ブロック３１を配置する。一方、この推進ジャッキ３を伸張させ、埋め戻し用土砂１４１を押し固めフロントフレーム１を前進させる際以外はそれほど大きな力が加わらないので、盛り替え梁４１ａ、４１ｂによってＬ字型組立開水路ブロック２１の側壁２１ｂとＬ字型組立開水路ブロック２３の側壁２３ｂとが内側方向に移動することを制限することができる（これにより構造が複雑で高価な支保鋼材ブロック３１を数多く用意する必要がない。）。
【００２８】
以下同様にして、（１）オープンシールド機１１の前方の土砂をバックホーにて掘削しオープンシールド機１１の推進ジャッキ３をのばし（オープンシールド機１１の後方に存する埋め戻し用土砂１４１を押し固め（埋め戻しステップによって埋め戻された埋め戻し材たる埋め戻し用土砂１４１を押し固める押し固めステップ）、フロントフレーム１を前進させる。）、（２）推進ジャッキ３を収縮させ（テールフレーム２を前進させる。）、（３）Ｌ字型組立開水路ブロック２１、２３を埋め戻し用土砂１４１によって埋め戻すと共にオープンシールド機１１の内部空間１３に位置する土床面ならし（床均）及び基礎部分形成（砕石１１３及びＰＣ板１１５）を行い、そして（４）一対のＬ字型組立開水路ブロック２１、２３の配設を行い、さらに（５）最も後側に位置する支保鋼材ブロック３１ｆが配設されているＬ字型組立開水路ブロック２１ｆ、２３ｆの前側ジョイント部分に盛り替え梁４１ａ、４１ｂを上下二段取り付け、（６）該最も後側に位置する支保鋼材ブロック３１ｆをＬ字型組立開水路ブロック２１ｆ、２３ｆから取り外すと共に該取り外した支保鋼材ブロック３１を最も前端に取り付ける、という（１）〜（６）の工程を繰り返すことによって、図１７に示すようなＬ字型組立開水路ブロック２１、２３を前後方向に並べて埋設することができる。
【００２９】
図１７に示すようにＬ字型組立開水路ブロック２１、２３を前後方向に所定個数を並べて配設した後、盛り替え梁４１ａ、４１ｂが設置されている区間であってＬ字型組立開水路ブロック２１、２３の間５１（底部２１ａと底部２３ａとの間をいう。図１７及び図１５を参照されたい。）のうちコンクリートの打設を所望する区間に鉄筋（図示せず）を配設し、次いで、該区間にコンクリートを打設し養生を行う（なお、図１８に、一例の打設したコンクリート６１を斜線を付して示す。）。
コンクリート養生が完了した後（コンクリートが固化した後）、コンクリートを打設した区間の盛り替え梁４１ａ、４１ｂを取り外す。
このようなＬ字型組立開水路ブロック２１、２３の間５１の鉄筋配設、コンクリート打設（養生を含む）及び盛り替え梁４１ａ、４１ｂの取り外しは、前記した（１）〜（６）の工程と並行して行うことができ、かかる鉄筋配設、コンクリート打設（養生を含む）及び盛り替え梁取り外しによって、Ｌ字型組立開水路ブロック２１、２３を用いた開渠が形成される。
【００３０】
以上説明したように、本工法は、オープンシールド機１１の内部空間１３において１単位の開渠部材たるＬ字型組立開水路ブロック２１、２３を連結する連結ステップと該連結ステップにおいて該連結された１単位の該開渠部材たるＬ字型組立開水路ブロック２１、２３の長さに応じて該オープンシールド機を前進させる前進ステップとを含んでなるサイクルと、１又は２以上の該サイクルが完了した後に該前進ステップにおいて前進したオープンシールド機１１の後方に位置する該開渠部材たるＬ字型組立開水路ブロック２１、２３を埋め戻す埋め戻しステップと、を繰り返すことにより、複数単位の開渠部材たるＬ字型組立開水路ブロック２１、２３を連結しつつ埋設するオープンシールド工法である。そして、埋め戻しステップにおいて埋め戻される開渠部材たるＬ字型組立開水路ブロック２１、２３のうち少なくともいずれかの開渠部材たるＬ字型組立開水路ブロック２１、２３の側壁２１ｂ、２３ｂに、該側壁２１ｂ、２３ｂが開渠部材たるＬ字型組立開水路ブロック２１、２３の内側方向に少なくとも所定量以上変位することを制限する変位制限手段たる支保鋼材ブロック３１を取り付ける。
【００３１】
前記埋め戻しステップによって埋め戻された埋め戻し材たる埋め戻し用土砂１４１を押し固める押し固めステップを、さらに備え、該押し固めステップによって生じる圧力を受ける開渠部材たるＬ字型組立開水路ブロック２１、２３に少なくとも変位制限手段たる支保鋼材ブロック３１が取り付けられている。
そしてここでは、オープンシールド機１１が、前記埋め戻された埋め戻し材たる埋め戻し用土砂１４１の前端（ここでは可撓性板４に面する埋め戻し用土砂１４１の部分）を後方に向けて押し固めるように前記押し固めステップを行い、前記押し固めステップによって生じる前方への反力によって前記前進ステップが達成され、前記前端（ここでは可撓性板４に面する埋め戻し用土砂１４１の部分）が接する１単位の開渠部材たるＬ字型組立開水路ブロック２１、２３に少なくとも変位制限手段たる支保鋼材ブロック３１が取り付けられている。
【００３２】
また、本工法では、前記前端（ここでは可撓性板４に面する埋め戻し用土砂１４１の部分）が接する１単位の開渠部材たるＬ字型組立開水路ブロック２１、２３よりも前方に開渠部材たるＬ字型組立開水路ブロック２１、２３が配置される（ここではオープンシールド機１１の内部空間１３にＬ字型組立開水路ブロック２１、２３が配置されている。）と共に、変位制限手段たる支保鋼材ブロック３１が開渠部材たるＬ字型組立開水路ブロック２１、２３に着脱自在なものであり、１の前記サイクル（ここでは１の連結ステップと１の前進ステップ）に対して前記埋め戻しステップ及び前記押し固めステップがそれぞれ行われている。そして、前記サイクルと前記埋め戻しステップとが完了したとき、前記前端（ここでは可撓性板４に面する埋め戻し用土砂１４１の部分）が接する１単位の開渠部材たるＬ字型組立開水路ブロック２１、２３と、前記前端（ここでは可撓性板４に面する埋め戻し用土砂１４１の部分）が接する１単位の開渠部材たるＬ字型組立開水路ブロック２１、２３よりも前方の開渠部材たるＬ字型組立開水路ブロック２１、２３と、に前記変位制限手段たる支保鋼材ブロック３１が取り付けられており、その後、該サイクル又はそれに続く１又は２以上のサイクルが完了し、次の前記押し固めステップが行われる前までに、前記前端（ここでは可撓性板４に面する埋め戻し用土砂１４１の部分）が接する１単位の開渠部材たるＬ字型組立開水路ブロック２１、２３又はそれよりも後方に存する開渠部材たるＬ字型組立開水路ブロック２１、２３から前記変位制限手段たる支保鋼材ブロック３１を取り外し、該取り外した前記変位制限手段たる支保鋼材ブロック３１を前記前端（ここでは可撓性板４に面する埋め戻し用土砂１４１の部分）が接する１単位の開渠部材たるＬ字型組立開水路ブロック２１、２３よりも前方の開渠部材たるＬ字型組立開水路ブロック２１、２３に取りつける。
【図面の簡単な説明】
【図１】本工法の第１工程を示す断面図である。
【図２】本工法の第１工程を示す平面図である。
【図３】図２のＣ−Ｃ端面図である。
【図４】Ｌ字型組立開水路ブロックを、砕石及びＰＣ板の上面に配置したところを示す端面図である。
【図５】Ｌ字型組立開水路ブロックを、砕石及びＰＣ板の上面に配置したところを示す平面図である。
【図６】一対配設されたＬ字型組立開水路ブロックの側壁の間に跨るように支保鋼材ブロックを配置したところを示す平面図である。
【図７】図６のＫ−Ｋ断面図である。
【図８】図７のＬ−Ｌ断面図である。
【図９】オープンシールド機の前方の土砂をバックホーにて掘削後、オープンシールド機の推進ジャッキをのばしたところを示す平面図である。
【図１０】前進したオープンシールド機の後方に位置するＬ字型組立開水路ブロックを埋め戻し用土砂によって埋め戻したところを示す平面図である。
【図１１】さらに一対配設されたＬ字型組立開水路ブロックの側壁の間に跨るように支保鋼材ブロックを配置したところを示す平面図である。
【図１２】さらにオープンシールド機の前方の土砂をバックホーにて掘削後、オープンシールド機の推進ジャッキをのばしたところを示す平面図である。
【図１３】さらに前進したオープンシールド機の後方に位置するＬ字型組立開水路ブロックを埋め戻し用土砂によって埋め戻したところを示す平面図である。
【図１４】Ｌ字型組立開水路ブロックに配設されている支保鋼材ブロックのうち最も後側に位置する支保鋼材ブロックが配設されているＬ字型組立開水路ブロックの前側ジョイント部分に盛り替え梁を上下二段取り付けたところを示す平面図である。
【図１５】図１４のＭ−Ｍ断面図である。
【図１６】Ｌ字型組立開水路ブロックに配設されている支保鋼材ブロックのうち最も後側に位置する支保鋼材ブロックをＬ字型組立開水路ブロックから取り外し、該取り外した支保鋼材ブロックを最も前端に取り付けたところを示す平面図である。
【図１７】Ｌ字型組立開水路ブロックを前後方向に並べて埋設したところを示す平面図である。
【図１８】Ｌ字型組立開水路ブロックの間に打設したコンクリートを示す平面図である。
【符号の説明】
１            フロントフレーム
２            テールフレーム
３            推進ジャッキ
４            可撓性板
１１            オープンシールド機
１３            内部空間
２１、２３      Ｌ字型組立開水路ブロック
２１ａ、２３ａ  底部
２１ｂ、２３ｂ  側壁
３１            支保鋼材ブロック
３２ａ、３２ｂ、３２ｃ、３２ｄ  下部支持柱
３３ａ、３３ｂ  下部横部材
３４ａ、３４ｂ、３４ｃ、３４ｄ  上部支持柱
３５ａ、３５ｂ  中部横部材
３６ａ、３６ｂ、３６ｃ  上部前後連結部材
３７ａ、３７ｂ  上部横部材
３８ａ、３８ｂ  脚部
３９ａ          左下当接部材
３９ｂ          右下当接部材
３９ｃ          左中当接部材
３９ｄ          右中当接部材
３９ｅ          左上当接部材
３９ｆ          右上当接部材
４０ａ、４０ｂ、４０ｃ、４０ｄ  ブレス材
４１ａ、４１ｂ  盛り替え梁
４１ａａ        棒状本体部
４１ａｂ        係合支持部
４１ｂａ        棒状本体部
４１ｂｂ        係合脚部
５１            間
６１            コンクリート
７１            閉塞板
１０１            バックホー
１１１            土床面
１１３            砕石
１１５            ＰＣ板
１３１            土砂
１４１            埋め戻し用土砂
【図１】
0003818637.tif 000002
【図２】
0003818637.tif 000003
【図３】
0003818637.tif 000004
【図４】
0003818637.tif 000005
【図５】
0003818637.tif 000006
【図６】
0003818637.tif 000007
【図７】
0003818637.tif 000008
【図８】
0003818637.tif 000009
【図９】
0003818637.tif 000010
【図１０】
0003818637.tif 000011
【図１１】
0003818637.tif 000012
【図１２】
0003818637.tif 000013
【図１３】
0003818637.tif 000014
【図１４】
0003818637.tif 000015
【図１５】
0003818637.tif 000016
【図１６】
0003818637.tif 000017
【図１７】
0003818637.tif 000018
【図１８】
0003818637.tif 000019